(57)【要約】【課題】ＣＴ等の撮像装置の小型・軽量化、低消費電力化、低被曝化により移動や設置を容易にし、癌その他疾病等の早期発見と治療に役立てる。【解決手段】架台上を体軸方向に前進又は後退するガントリを備え、ガントリ内の回転部に光源、光源駆動回路、及び回転部インターフェースを有する撮像装置、及びガントリの停止状態においてガントリ内の画像メモリに記録された撮像データを架台上の所定位置にあるホストインターフェースへ読み出す。【選択図】図１
2020103369.tif 000002
【特許請求の範囲】
【請求項１】
体軸方向を中心軸として回転する回転部を有するガントリ、該ガントリを載せる架台、及び該ガントリから得られた画像データを処理表示或いは撮像装置を操作する制御部からなる撮像装置であって、該架台に対し該ガントリを該中心軸の方向に移動させる駆動部を有し、該回転部には光源、光源を駆動する光源駆動制御回路、回転部インターフェースを有し、該架台にはホストインターフェースを有し、該ガントリの移動範囲内の所定位置において該回転部インターフェースと該ホストインターフェースが互いに対向する構造を有する撮像装置。
【請求項２】
前記所定位置が前記ガントリの移動範囲の終点である請求項1に記載の撮像装置。
【請求項３】
前記回転部インターフェースと前記ホストインターフェースが互いに鉛直方向に近接し対向することを特徴とする請求項１に記載の撮像装置。
【請求項４】
前記回転部インターフェースと前記ホストインターフェースが互いに前記中心軸方向に近接し対向することを特徴とする請求項１に記載の撮像装置。
【請求項５】
前記回転部インターフェースと前記ホストインターフェースが前記所定位置において機械的に接触することにより電気的に接続することを特徴とする請求項１に記載の撮像装置。
【請求項６】
前記回転部インターフェースと前記ホストインターフェースが前記所定位置において互いに近接し非接触状態において電磁場の相互作用により電気的に接続する非接触インターフェースであることを特徴とする請求項１に記載の撮像装置。
【請求項７】
前記ガントリを前記中心軸方向に移動させるための駆動手段を前記ガントリの内部に有する請求項１に記載の撮像装置。
【請求項８】
前記回転部を回転させる駆動モータを前記ガントリの内部に有する請求項１に記載の撮像装置。
【請求項９】
前記架台の上部であって前記所定位置に形成されたクレードルを有し、かつ該クレードルに前記ホストインターフェースを有する請求項４に記載の撮像装置。
【請求項１０】
前記クレードルに前記回転部の検査と校正に供する検査プローブ、或いは標準サンプルを保持するための保持手段を前記クレードルに有する請求項９に記載の撮像装置。
【請求項１１】
前記回転部の内部に前記中心軸を挟んで前記光源に対向する位置に検出器、該検出器を駆動及び該検出器の出力信号を処理する検出器制御信号処理回路、該検出器の出力信号を記録する画像メモリ、及びこれらを駆動するための二次電池を内蔵する請求項１に記載する撮像装置。
【請求項１２】
前記光源がX線光源であって、該X線光源における電子ビーム発生部がカーボンナノ構造体から構成されている請求項１１に記載の撮像装置。
【請求項１３】
前記検出器が光電子増倍管型検出器、アバランシェホトダイオード（ＡＰＤ)型検出器、又はフォトンカウンティング型検出器のいずれかである請求項１１に記載の撮像装置。
【請求項１４】
前記回転部の外周部にN極とS極が交互に並ぶように配置した永久磁石を有し、かつ前記回転部の周囲を取り囲む前記ガントリの円周に沿って複数の誘導コイルを配置した請求項１に記載の撮像装置。
【請求項１５】
前記回転部の外周部に沿って複数の誘導コイルを配置し、かつ前記回転部の周囲を取り囲む前記ガントリの円周部に沿ってN極とS極が交互に並ぶように永久磁石を配置した請求項１に記載の撮像装置。
【請求項１６】
前記回転部の運動エネルギーを電気エネルギーに変換する回生ブレーキ回路を前記誘導コイルに接続した請求項１４又は請求項１５に記載の撮像装置。
【請求項１７】
さらに電気二重層キャパシタを前記回生ブレーキ回路に有する請求項１６に記載の撮像装置。
【請求項１８】
前記ガントリの前記体軸方向の移動、或いは前記ガントリの撮像動作を制御する制御信号を無線通信により送受信する無線インターフェースを撮像装置の制御部と、少なくとも前記ガントリ、前記架台、或いは前記クレードルのいずれかに有する請求項１又は請求項９に記載の撮像装置。
【請求項１９】
前記ガントリに加え、さらに第二のガントリを前記架台の上部に有する請求項１に記載の撮像装置。
【請求項２０】
前記ガントリの前記中心軸方向に移動開始後、被検体を透過した光信号を前記検出器により電気信号に変換し、該電気信号を前記画像メモリに記録しながら前記回転部を回転させ、前記ガントリの前記中心軸方向の移動を前記所定位置において停止し、前記回転部インターフェースから前記ホストインターフェースを介し前記画像メモリに記録された電気信号を前記回転部から読み出すことを特徴とする請求項１に記載の撮像装置の駆動方法。
【請求項２１】
前記ガントリの前記中心軸方向に移動開始後、前記光源から出射した光を前記検出器により電気信号に変換し、該電気信号を前記画像メモリに記録しながら前記回転部を回転させ、該電気信号の前記画像メモリへの記録が終了した後、前記回転部の回転を減速させる工程において、前記誘導コイルに生ずる逆起電力を、前記回生ブレーキ回路を介し前記二次電池又は前記電気二重層キャパシタに充電することを特徴とする請求項１６又は請求項１７に記載の撮像装置の駆動方法。
【請求項２２】
前記ガントリの前記中心軸方向の移動を前記所定位置において停止し、前記回転部インターフェースを介し前記ホストインターフェースから前記二次電池に電力を供給し前記二次電池を充電することを特徴とする請求項２０又は請求項２１に記載の撮像装置の駆動方法。
【発明の詳細な説明】
【技術分野】
【０００１】
本発明はコンピュータトモグラフィー装置等の撮像装置に関する。
【背景技術】
【０００２】
撮像装置、例えばX線コンピュータトモグラフィー装置（ＣＴ）は、撮像対象物の周囲を回転する回転部を含むガントリ、ガントリの内側を通過するように被験者を載せた寝台を体軸方向に前進又は後退させる寝台移動装置、回転部と電気的接続を可能にするスリップリング、及びスリップリングを介し外部に転送された画像データを処理する画像描出部等を含む操作及びモニター部等から構成されている。回転部の内部には、多数の撮像素子の集合体からなる検出器、検出器からの信号を処理する回路基板、被験者等の撮像対象物を挟んで対向する位置にあるＸ線発生部、冷却ファン、高電圧電源回路等が内蔵されている。ＣＴは大型、高重量かつ高額な画像診断機器であって、ＣＴ本体を設置する建物、電源、及び空調設備等の設置費用に加え、常時機器の性能を最適に保つための維持管理費も大きな負担となっている（特許文献１乃至特許文献６）。
【先行技術文献】
【特許文献】
【０００３】
【特許文献１】特開昭６１−２４４３３０
【特許文献２】特開平２−２２４７４６
【特許文献３】特開２００１−２５８８７３
【特許文献４】特開２００５-５１６３４３
【特許文献５】特開平４−２２１００
【特許文献６】特開平１１−１８８０２９
【特許文献７】特開２０１６−１０７０６２
【発明の概要】
【発明が解決しようとする課題】
【０００４】
Ｘ線ＣＴ等の撮像装置を小型・低価格化することにより、広く世界の健康維持に寄与する。特に癌その他の疾病を早期に発見し、増大する医療費を削減することが望まれる。開発途上国、その他遠隔地や過疎地域にあっても、最新かつ高水準の医療サービスを提供することにより、自然災害や地域紛争の結果生じた貧困や格差を解消する。解決すべき課題について以下に詳しく説明する。
【０００５】
ＣＴの大型化、或いは高額化する要因には、様々な技術的課題があり、未だ有効な打開策が見出されていない。従来のＣＴの小型化を阻害する要因の一つは、ガントリの小型・軽量化が困難な点にある。ガントリ内の回転部の内径は、人体が余裕をもって体軸方向に移動し通過できる程度の内径寸法、例えば８０cm以上の内径が求められる。X線源や検出器等を搭載するため、ガントリの外径は１００cmを超える。また検出器、検出器信号処理回路、Ｘ線源、Ｘ線源駆動制御回路、空冷ファン等がガントリ内で回転する構造が一般的である。しかし、Ｘ線源、Ｘ線源駆動制御回路、空冷ファン等は高重量であり、これらを直径８０cm以上の円周上で１〜２回転／秒の速度で回転させる場合の慣性モーメントや重量物の回転に伴う振動、騒音等を抑制し装置全体に及ぼす弊害を最小限にする必要がある。被験者を体軸方向に移動させるため、被験者を載せた寝台を定められた速度で前進又は後退させる必要がある。被験者の多様性、即ち体重の幅（数キログラム〜２００キログラム）を考慮すると、寝台移動手段もこのような重量範囲をカバーできる堅牢性と寝台の安定移動を確保する必要があり、装置全体がさらに大型化・高重量化することになる。
【０００６】
また検出器等がガントリの内部で体軸方向を中心に毎秒１〜２回転程度の速度で回転する。そのため、検出器等の出力信号を外部に読み出すためにスリップリングと呼ばれる機械的接触手段により信号の送受信、或いは電力の授受を行っている。スリップリングによる電気的接続を確実にするには、回転数を低く抑え、かつ検出器からの出力信号線本数を少なくする必要がある。信号線本数を少なくするためには、パラレル信号をシリアル化しスリップリングを介し読み出す方法が採用されている。しかし、大量の撮像データをシリアル伝送すると伝送周波数が上昇するため、高速のラインバッファ素子など専用半導体素子を開発する必要があり、さらに伝送周波数の上昇に伴う消費電力や発熱の増大も避けられない。また、近年、Ｘ線被ばく量の低減が強く求められており、その解決策として、一度のＸ線パルス照射により広い領域を露光しなければならず、その結果、ガントリの高重量化に加え、Ｘ線発生装置の大型化が避けられない。同時に体軸方向の受光領域（即ちスライス数）を拡大する必要があり、使用する検出器の受光面積或いは画素数の増大を伴い、さらに高速かつ大容量のデータ伝送と外部の記録媒体への高速リアルタイム記録が求められる。例えば、スライス数が６４の場合、１Gbytes/sec以上のデータ処理速度が求められる。大量のデータをリアルタイムで高速記録するには、例えば、RAID(Redundant Arrays of Independent Disks)のような複数台のハードディスクを組み合わせて使用する方策が取られているが、その記録速度は８００Mbytes/sec以下のため、何らかのデータ圧縮も必要になる。
【０００７】
電力の授受については、特にX線源等対する電力供給が問題となる。近年、スライス幅の拡大に伴い、X線源の大型化、即ち管電流の増大に伴い高電圧発生回路等を含むX線源駆動制御回路に供給する電流量も増大する傾向にある。その結果、スリップリングは、ブラシに対し高速かつ滑らせながら大きな電流を流す必要があり、接触面が発熱し焼き付きの原因となる。そのため、スリップリングやブラシの表面研磨や部材の定期的交換等のメンテナンスが必須となっている。このように、被験者を移動させる寝台やガントリ部等の小型・軽量化が難しく、ＣＴの運搬、移設が困難である。さらに設置するための建屋や床の強度、或いは空調設備を含めた専用の電源設備等にも特別な設計仕様が求められる。このように、ＣＴを導入する場合のコストは、装置自体の導入費用に加え、建屋や空調・電源設備等に要する建築費用、さらには一年を通し装置及び建屋全体の温湿度等の維持管理費や定期的メンテナンス費用等の経費負担の軽減が求められる。
【０００８】
上記の解決すべき課題に加え、近年、Ｘ線ＣＴ等の利用機会が増えるにつれ、被験者のＸ線被ばくに対する懸念が高まっている。そのため、Ｘ線被ばく量を削減することも本発明における解決すべき課題である。
【課題を解決するための手段】
【０００９】
本発明に係る撮像装置、例えばＣＴは体軸方向を中心軸として回転する回転部を有するガントリ、ガントリを載せる架台、及び該ガントリから得られた画像データを処理表示或いは撮像装置を操作する制御部から構成され、かつ架台に対しガントリを中心軸の方向に移動させる駆動手段を有し、さらに回転部には光源、光源を駆動する光源駆動制御回路、回転部インターフェースを有し、架台にはホストインターフェースを有し、ガントリの移動範囲内の所定位置において回転部インターフェースとホストインターフェースが互いに対向する構造とする。好適には、所定位置がガントリの移動範囲の終点にあるようにする。また、回転部インターフェースとホストインターフェースが互いに鉛直方向に近接し対向させる。或いは、回転部インターフェースとホストインターフェースが互いに中心軸方向に近接し対向させる。
【００１０】
回転部インターフェースとホストインターフェースが所定位置において機械的に接触することにより電気的に接続するようにする。或いは、回転部インターフェースとホストインターフェースが所定位置において互いに近接し非接触状態において電磁場の相互作用により電気的に接続する非接触インターフェースとする。
【００１１】
ガントリを中心軸方向に移動させるための駆動手段をガントリの内部に設ける。また、回転部を回転させる駆動モータをガントリの内部に設ける。
【００１２】
架台の上部であって所定位置にクレードルを有し、かつクレードルにホストインターフェースを設ける。さらに、クレードルに回転部の検査・校正に供する検査プローブ、或いは標準サンプルを保持するための保持手段をクレードルに設ける。好ましくは、所定位置において回転部を冷却するための冷却機構をクレードルに有する構造とする。
【００１３】
回転部の内部には、光源、光源を駆動する光源駆動制御回路に加え少なくとも中心軸を挟んで光源に対向する位置に検出器を有し、さらに検出器を駆動及び検出器の出力信号を処理する検出器制御信号処理回路、検出器の出力信号を記録する画像メモリ、及びこれらを駆動するための二次電池を内蔵させる。好ましくは、二次電池にはリチウムイオン電池を用いる。また、画像メモリには大容量の半導体メモリ、例えば、ダイナミックランダムアクセスメモリ（ＤＲＡＭ）、NAND型フラッシュメモリ等の不揮発メモリを用いる。光源はX線光源、或いは近赤外（NIR)光源とする。好ましくは、光源がX線光源であって、X線光源における電子ビーム発生部をカーボンナノ構造体により形成する。検出器は、好ましくはシリコン半導体検出器であって、かつ該シリコン半導体検出器にはAD変換回路が形成された構造とする。好ましくは、検出器を光電子増倍管型検出器、アバランシェホトダイオード（APD）型検出器、又はフォトンカウンティング型検出器のいずれかとする。さらに好ましくは、検出器の上部に放射線遮蔽光ファイバープレート、或いは放射線遮蔽光ファイバープレートの上部にさらに放射線シンチレータを積層した構造とする。
【００１４】
回転部の外周部にN極とS極が交互に並ぶように配置した永久磁石を配置し、かつ回転部の周囲を取り囲むガントリの円周に沿って複数の誘導コイルを配置する。或いは、回転部の外周部に沿って複数の誘導コイルを配置し、かつ回転部の周囲を取り囲むガントリの円周部に沿ってN極とS極が交互に並ぶように永久磁石を配置する。好ましくは、回転部の運動エネルギーを電気エネルギーに変換する回生ブレーキ回路を誘導コイルに接続する。また、電気二重層キャパシタを回生ブレーキ回路に設ける。
【００１５】
ガントリの体軸方向の移動、或いはガントリの撮像動作を制御する制御信号を無線通信により送受信する無線インターフェースを撮像装置の制御部と、少なくともガントリ、架台、或いはクレードルのいずれかに設ける。また、第二のガントリを架台の上部に追加する。
【００１６】
被験者、或いは測定対象物を載せ、又は保持するための寝台等の保持手段を架台と一体的に形成した構造とする。また、ガントリの体軸方向における移動を補助するためのガイドレールを架台に設ける。また、ガントリの移動中に被験者或いは被測定物がガントリに接触することを防止するための保護カバーをガントリの移動方向に沿って架台に設けた構造とする。少なくとも光源、検出器、画像メモリ、二次電池のいずれかが回転部から着脱可能なカートリッジ構造とする。
【００１７】
ガントリの中心軸方向に移動開始後、被検体を透過した光信号を検出器により電気信号に変換し、電気信号を画像メモリに記録しながら回転部を回転させ、電気信号の画像メモリへの記録終了後、ガントリの中心軸方向の移動を所定位置において停止し、回転部インターフェースからホストインターフェースを介し画像メモリに記録された電気信号を読み出す撮像装置の駆動方法とする。
【００１８】
ガントリの中心軸方向に移動開始後、光源から出射した光を検出器により電気信号に変換し、電気信号を画像メモリに記録しながら回転部を回転させ、電気信号の画像メモリへの記録が終了した後、回転部の回転を減速させる工程において、誘導コイルに生ずる逆起電力を、回生ブレーキ回路を介し二次電池又はキャパシタに充電する撮像装置の駆動方法とする。
【００１９】
ガントリの中心軸方向の移動を所定位置において停止し、回転部インターフェースを介しホストインターフェースから二次電池に電力を供給し二次電池を充電する上記撮像装置の駆動方法とする。
【発明の効果】
【００２０】
本発明によれば、撮影装置の小型・軽量化、及び低消費電力化が実現し、撮像装置を設置するスペース、建物及び電源、空調設備等の建設コストを大幅に削減できる。加えて、必ずしもガラス基板を使用した大面積ＴＦＴ検出器を必須とせず、高感度の検出器を使用できるので、被験者の放射線被ばく量を低減することが容易になる。さらにスリップリングやブラシ等を不要としたので、定期的な部品交換やメンテナンス等の常時機器の性能を最適に保つための年間維持経費を大幅に削減できる。また、目的に応じてガントリ部のみ、或いは光源部や検出器カートリッジを交換することにより、整形外科、循環器科、消化器科領域における各種X線画像診断装置、CT、PET等を全て設置するまでもなく、本発明に係る撮像装置一台において異なる医療分野における診断が実現する。また、病院内の手術室や入院病棟であっても、事故等で運び込まれた救急患者或いは重症患者等が検査室まで移動せずに医師がベッドサイドで迅速に初期診断と治療方針を決定することが容易になる。このように撮像装置の小型・軽量化、及び低消費電力化により、一般車両等により移動可能なＣＴ等の実現し、遠隔地や災害発生地域等における迅速かつ的確な初期診断が実現する。
【図面の簡単な説明】
【００２１】
【図１】（ａ）は第一の実施例に係る撮像装置１００のＸ軸方向からみた側面図であり、（ｂ）は同じくＹ軸方向からみた平面図であり、（ｃ）は同じくＺ軸方向から見た平面図である。
【図２】（ａ）は撮像装置１００のガントリ５の内部にある回転部２３の内部構造を説明するためのＺ軸方向から見た平面図であり、（ｂ）は回転部２３の内部、特に検出器とその周辺回路を説明するための回路構成図である。
【図３】（ａ）は撮像装置１００のガントリ内部にある回転部２３の内部、特にX発生部と高電圧駆動回路を説明するための回路構成図であり、（ｂ）は、本発明の撮像装置の駆動方法を説明するためのフローチャートである。
【図４】（ａ）は第二の実施例に係る撮像装置２００のＸ軸方向からみた側面図であり、（ｂ）は非接触インターフェース部（１０及び１２）におけるワイヤレス給電部分の回路構成を説明するためのブロック図である。
【図５】（ａ）は第三の実施例に係る撮像装置３００の特にガントリ５の内部の回転部２３をZ軸方向からみた平面図であり、（ｂ）及び（ｃ）は、（ａ）における破線部分３９における回転部２３の外周とこれを取り囲むガントリ５の内周における電磁誘導を説明するための一部拡大図である。
【図６】（ａ）は撮像装置３００のガントリ内部にある回転部２３の内部、特に回生ブレーキを説明するため回路構成図であり、（ｂ）は回生ブレーキを用いた場合の撮像装置の駆動方法を説明するためのフローチャートである。
【図７】（ａ）は回転部２３の変形例を説明するためのＸ軸方向から見た断面構造図であり、（ｂ）は回転部２３の他の変形例を説明するためのＺ軸方向から見た平面図であり、（ｃ）は、第四の実施例に係る撮像装置４００のX軸方向からみた側面図である。
【実施例】
【００２２】
本発明では、ガントリの移動方向或いは所謂「体軸方向」をＺ軸、Ｚ軸に垂直な面をＸ−Ｙ平面と定義する。第一の実施例に係る撮像装置１００（例えばＸ線ＣＴ）について、図１乃至図３を用いて以下に説明する。図１（ａ）は、第一の実施例に係る撮像装置をＸ軸方向から見た側面図である。撮像装置１００は、架台７、及びこれを支える架台支持部（９−１、９−２）、その上部にZ軸方向に移動可能なガントリ５が載せられた構造からなる。後述するように、ガントリ５の内部には回転可能な回転部２３があり、その回転中心軸１が図示されている。なお、図示していないを操作・制御部及び表示（モニター）部があり、画像描出回路及びソフトウエア等により再構成された断層像等がモニター上に表示される。ガントリ５をＺ軸方向に移動させるための駆動部及び車輪１５を内蔵したガントリ移動台車１１がガントリ５の下部に取り付けられている。また、以下に詳述するように、ガントリ内の回転部２３と架台７との間において電気信号又は電力の授受を行う電気的接続手段が架台の上部（２−１）とガントリ内の回転部側（図示せず）に有する。被験者その他の測定対象物を載せるために寝台３がガントリ５の中空部内をＺ軸方向に挿入されている。撮影中はガントリ５のみがＺ軸方向に移動し、被験者は寝台３と共に寝台３の上で静止しているので、堅牢かつ精密な被験者移動制御手段は不要である。そのため、撮像装置１００自体の軽量化が可能になる。後述するように、ガントリの体軸（Ｚ軸）方向における撮像走査速度を高速化しても、被験者の身体的・精神的負荷や不安を回避できる効果も有する。
【００２３】
図１（ｂ）は、撮像装置１００をＹ軸方向から見た平面図である。ガントリ５が架台７の上を移動するためにガントリ移動用レール１３が架台７の上部に２本設けられている。ガントリ移動用レール１３及び車輪１５が金属等の導電性材料であれば、ガントリ移動台車１１の内部にある駆動用モータ１７に電力を供給し、或いはガントリ移動台車１１との間において制御信号等の授受が可能になる。上述の如く、ガントリ内の回転部２３と架台７との間において電気信号又は電力の授受を行う電気的接続手段であるホストインターフェース２−１を架台の上部、即ちガントリ５の移動範囲の終点にある所定位置に配置している。本実施例では、寝台３が架台支持部９−１、及び９−２の上部に取り付けられているが、取り外すことも容易である。そのため、寝台３の代わりに他の形状の被験者保持手段を用いても良い。また、寝台３を取り除いて、ガントリ３を架台７から取り外すことも容易であるため、ガントリ５のメンテナンスや交換にも好都合であり、さらに異なる撮像特性、例えば、光源エネルギー（波長）の異なる光源を搭載したガントリに取り換えることも容易になる。
【００２４】
図１（ｃ）は、撮像装置１００をＺ軸方向から見た平面図である。ガントリ５の内部には、回転中心軸１の周囲を回転する回転部２３がベアリング（図示せず）等を介し取り付けられている。さらに回転部２３を回転させるためのタイミングベルト２１がガントリ移動台車１１の内部にあるガントリ回転モータ１９に取り付けられている。また、回転部２３は、回転部インターフェース２−２を有しているので、回転部２３の静止時においてホストインターフェース２−１と対向する位置において電気的に接続することができる。なお、好適にはホストインターフェース２−１と回転部インターフェース２−２が対向する位置で停止するようにするため、ホール素子等を用いた位置センサ等を使用することができる。また、ガントリ５をＺ軸方向に移動させるためのガントリ移動台車駆動モータ１７をガントリ移動台車１１の内部に有している。駆動のための電源は、既に説明したように、ガントリ移動用レール１３から供給することもできるが、ガントリ移動台車１１の内部に二次電池を内蔵することもできる。また、ガントリ５をＺ軸方向に移動させるための移動手段として、後述するように（図４（ａ）等）、架台支持部９−１或いは９−２側からけん引する構造であってもよい。本構造により、ガントリ内の回転部２３の回転手段を移動可能なガントリ移動台車１１等に配置したので、従来と異なり、ガントリ部を撮像装置本体に固定させる必要が無く、ガントリ部の移動、取り外し等が容易になる。
【００２５】
図２を用いて、撮像装置１００の構造、特に回転部２３の構造を詳しく説明する。図２（ａ）は、撮像装置１００のガントリ５の内部にある回転部２３の内部構造を説明するＺ軸方向から見た平面図である。回転部２３の内部には、光源、例えばＸ線発生部２５、高電圧制御回路２９、検出器アレー３１、検出器周辺回路３３、画像メモリ３５、二次電池２７、回転部インターフェース２−２を有する。即ち、Ｘ線発生部２５から出射されたＸ線ビーム２６が寝台３に載せられた被験者（図示せず）を透過し、検出器アレー３１に到達する。なお、回転部の回転時における重量バランスを調整する重量バランス調整部を設けてもよい。好適には、Ｘ線発生部２５にカーボンナノチューブ（ＣＮＴ）等のカーボンナノ材料を電界電子放出源とするＸ線発生装置を用いる。カーボンナノ材料を冷陰極材料として用いているので、予熱が不要であり従来のＸ線管を用いた場合に比べ、小型・低消費電力化が可能になり、高電圧制御回路２９の小型化や冷却ファンの小型化或いは冷却ファンそのものを不要にできるからである。なお、本実施例では、回転部２３の内部に検出器アレー３１が内蔵されている構造について説明したが、検出器アレー３１が回転部２３の内部ではなく、回転部２３を取り巻くガントリ５の内周部の全周に亘って配置した構造（図示せず）であってもよい。この場合には、検出器周辺回路の一部、画像メモリ、ガントリ部インターフェース等がガントリ移動台車１１の内部に配置される。
【００２６】
図２（ｂ）は回転部２３の内部、特に検出器３１とその周辺回路３３を説明するための回路ブロック図である。図２（ａ）における周辺回路３３には、図２（ｂ）に示すように検出器駆動制御回路４１、信号増幅・アナログデジタル（ＡＤ）変換回路４３、信号走査・制御回路４５、デジタル信号処理回路４７、パラレルシリアル変換回路４９等を含んでいる。図示するように、検出器アレー３１には、複数の検出器ユニット３０が円弧状に、或いはスライス数を増やすためにＺ軸方向にも規則的に並んでいる。検出器ユニット３０には、例えば、小型の電子増倍型検出器（ホトマル）やアバランシェ効果（ＡＰＤ）を利用した増幅型検出器、フォトンカウンティング型検出器等を用いることができる。また、アナログデジタル（AD）変換回路をオンチップ化したCMOS型或いはCCD型検出器を使用することができるので、高速かつ低ノイズの読み出しが実現する。或いは、複数の検出器アレーの位置合わせ精度が高く、軽量化が容易なCMOS型検出器を使用することもできる（例えば、特許文献７）。これらの検出器ユニットは高感度、或いは低ノイズであるため、必ずしもスライス数の多い大面積の検出器ユニット、例えばガラス基板上にＴＦＴを積層した検出器等を必要としない。そのため、Ｘ線照射（被ばく）量を減少させ、或いは短時間パルス照射によるＺ軸方向の高速走査が容易になる。また、後述するように、Ｘ線照射面積を拡大する必要がないので、Ｘ線発生部に必要な高電圧電流を増大させることもない。また回転部２３のＺ軸方向の薄型化による軽量化に加え、特に電界電子放出源として使用するカーボンナノ材料の安定性や耐久性を向上させることができる。
【００２７】
検出器アレー３１から出力される検出器信号は、信号増幅・AD変換回路４３によりデジタルデータ（例えば１６ビット）に変換され、信号走査・制御回路４５を経由してデジタル信号処理回路４７に送られ必要な画像処理が加えられる。デジタル信号処理回路４７から送られた画像データを直接記録するために回転部２３の内部に画像メモリ３５を内蔵している。パラレルシリアル変換せずに直接画像メモリ３５に記録することができるので、高速書き込みが可能になる。画像メモリ３５には、磁気記録媒体も使用できるが、記録速度、及び信頼性の観点から、ＤＲＡＭやＮＡＮＤ形フラッシュメモリ等の半導体メモリが好適である。他方、撮像終了後であって、回転部２３の回転及びガントリ５の移動停止後に画像データを画像メモリ３５から読み出す場合には、撮像時と異なりリアルタイムで読み出す必要がないので、パラレルシリアル変換回路４９により、シリアルデータとして、ホストインターフェース２−２に出力すれば良い。シリアル化することにより、ホストインターフェース２−２における端子数を減らせる効果も有する。ホストインターフェース２−２と回転部インターフェース２−１からなる電気的接続手段においては、回転部２３の回転部インターフェース２−１の内部に複数のコネクタ６があり、その形状が凹状の受け構造である。他方、架台７上部におけるホストインターフェース２−２の側にはコネクタ４が複数あり、その形状は凸状である。コネクタ４をコネクタ６に挿入することにより電気的接続が可能になる。このように、機械的電気接点であるスリップリングを使用せず、回転部２３の静止時おいて内部に記録・蓄積した画像データを回転部インターフェース２−１からホストインターフェース２−２に読み出す。そのため、上述のスリップリング使用時の弊害を解消でき、かつ回転部２３の高速回転、例えば毎秒５回転以上の高速化回転も容易になる。このように、回転部５の軽量化と回転部５の回転速度の高速化により、ガントリ５を体軸（Z軸）方向に高速移動できるため、スライス数を増やすことなく、X線被ばく量を軽減することができる。
【００２８】
図３（ａ）は撮像装置１００の回転部２３の内部にあるＸ線発生部２５と光源駆動回路２９を説明するための回路構成図である。X発生部２５は、カーボンナノ材料電子ビーム発生冷陰極２５Cと陽極ターゲット２５Aから構成されている。光源駆動回路２９は、電圧昇圧回路２９−１と高電圧制御回路２９−２から構成されている。好適には、光源駆動回路２９は、スイッチング電源及びパワー半導体を用いることにより、トランスレスの小型・軽量・低消費電力の高電圧電源部とする。二次電池２７には、例えば、リチウムイオン電池を用いることができる。このように、リチウムイオン電池２７の直流電圧を光源駆動回路２９により昇圧し、かつタイミングコントロールされた高電圧パルスをＸ線発生部２５に印加することができる。なお、リチウムイオン電池２７は、図示していない電池残量検知回路及び充電回路により、回転部２３の静止時において回転部インターフェース２−２とホストインターフェース２−１を介し充電される。図３（ｂ）は、本実施例の撮像装置１００の駆動方法を説明するためのフローチャートである。図示するように、ガントリ５の移動及び回転部２３の回転を開始後、Ｘ線照射による撮像が開始される。検出器アレー３１から得られたデジタルデータはリアルタイムで画像メモリ３５に記録される。図２（ｂ）に示したように、デジタルデータは、パラレルシリアル変換するまでもなく、パラレルデータのまま画像メモリ３５に記録することができる。撮像終了後、ガントリは所定位置に停止し、回転部インターフェース２−２からホストインターフェース２−１を介し画像メモリ３５に記録されたデータが読み出され、操作・制御部において画像の再構成処理後、モニター上に表示される。また、並行してリチウムイオン電池２７を充電する。
【００２９】
図４（ａ）は、第二の実施例に係る撮像装置２００のＸ軸方向からみた側面図である。第一の実施例と異なる部分について以下に詳述する。図４（ａ）に示すように、撮像装置２００には、架台７からＹ軸方向に直立する部分９−３があり、これをクレードルと呼ぶ。クレードル９−３は、ガントリ５を待機させるスペース（破線部３７）があり、ガントリ５の回転部２３の回転部インターフェース２−２が非接触のインターフェース構造１２から構成され、ホストインターフェース２ー１が非接触のインターフェース構造１０から構成されている。これらは互いに対向して近接した状態で非接触の給電、即ち回転部２３の内部のリチウムイオン電池への充電、及び回転部２３とホスト側との間でデータや信号の授受を行う。第一の実施例と異なる点は、回転部インターフェース側の１２とホストインターフェース側の１０が互いに回転中心軸１の方向に近接し対向する構造にある。本構造により、ガントリ５がＺ軸方向に移動する方向において非接触インターフェース１２が非接触のインターフェース１０に近接することができる。ガントリ５の内部には回転部２３があり、回転中心軸１の周囲を回転するが、その駆動方法は第一の実施例（図１（ｃ））と同様に、ガントリ回転モータ１９、及び回転部回転用ベルト２１（図示せず）による回転である。後述するように、回転部２３を回転子、これを取り囲むガントリ５の内周を固定子とするダイレクトドライブ（DD)モータ構造としても良い。また、ガントリ移動用レール１３から給電されない場合は、ガントリ内に二次電池（図示せず）を内蔵することもできる。他方、第一の実施例とは異なり、架台支持部９−１又はクレードル９−３、及び架台７の内部に設けたガントリけん引モータ１４、及びガントリけん引ベルト８によりガントリ５を体軸（Ｚ軸）方向に移動させる例を開示している。
【００３０】
クレードル９−３のガントリ収納部３７の内部には、上記の非接触ホストインターフェース１０以外に、試料保持部２０が設けられている。試料とは、例えば、回転部２３の内部の検出器や光源部が正常に機能しているか否かを事前にテストするための被測定物であって標準サンプル、或いはファントムと呼ばれるものである。また、クレードル内に回転部２３の検査或い校正を目的とする検査プローブ（図示せず）を設けても良い。さらに、例えば、収納部３７の内部には、ガントリ５の内部の温度を下げるため、冷却ガス、例えば、空気や窒素ガスの供給口１６があり、他方、回転部２３には供給口１６と嵌合する開口部１８が設けられている。このように、クレードル９−３には、ガントリの安定駆動、或いは安全性や性能等の維持管理に必要な機能を付加することができる。
【００３１】
図４（ｂ）は非接触インターフェース部（１０及び１２）における電磁誘導方式のワイヤレス給電に係る回路構成の一例を説明するためのブロック図である。図示するように、ホストインターフェース側（１０）の回路構成は、商用電源を直流に変換するAC/DCコンバータ、高周波の方形波を出力する高周波インバータ、これを正弦波に変換する波形変換回路、安全確保のための絶縁トランス等を介し一次コイルＬ１につながっている。他方、二次コイルＬ２は、高周波を直流に戻す整流平滑回路、逆流阻止ダイオード等を介し、負荷、例えば二次電池等に接続している。他方、制御信号或いは画像データ等の送受信には、例えば、近接場磁界結合にもとづくワイヤレス通信方式（図示せず）を使用する。データ転送速度をGビット／秒程度の高速化が可能だからである。なお、上記ワイヤレス給電とワイヤレス通信を同一のコイル、或いはアンテナを使用して行う方式であってもよい。
【００３２】
図５（ａ）は第三の実施例に係る撮像装置３００の特にガントリ内の回転部分をZ軸方向からみた側面図であり、図５（ｂ）及び図５（ｃ）は、（ａ）における破線部分３９の構造を説明するための一部拡大図である。以下に説明するように、第二の実施例と異なる点は、回転部２３の内部又はガントリ内に回生ブレーキ回路５０を内蔵し、かつ回転部２３の周囲に電磁誘導コイルを有する点にある。或いは、回転部２３を取り囲むガントリ５の内部に回生ブレーキ回路５０を有していてもよい。これに相当する破線部分３９の拡大図が図５（ｃ）である。まず、図５（ｂ）の場合は、回転部２３の鉄心部３２−１の周囲に電磁誘導コイル３６−１が巻かれ、対向するガントリの内周に沿って交互にN極とS極が並んだ永久磁石、例えばネオジウム磁石が配置されている。本構成の場合、回転部２３の内部に有する二次電池２７を電源として交流電圧を発生させ電磁誘導コイル３６−１に印加することにより、回転部２３が回転する。他方、破線部分３９の拡大図が図５（ｃ）の場合は、ガントリの内周に沿って鉄心部３２−２の周囲に電磁誘導コイル３６−２が巻かれ、対向する回転部２３の外周に沿って交互にN極とS極が並んだ永久磁石、例えばネオジウム磁石が配置されている。本構成の場合、ガントリ５の内部に有する二次電池（図示せず）を電源として交流電圧を発生させ電磁誘導コイル３６−２に印加することにより、回転部２３が回転する。言い換えると、いずれの場合も回転部２３を回転子とし、ガントリ５の内部側を固定子とするダイレクトドライブ（ＤＤ）モータを構成していると考えることができる。
【００３３】
本実施例における回生ブレーキ５０について図６（ａ）を用いて以下に説明する。本発明に係るＣＴ等は、回転部２３の回転開始後に撮像動作に入り、撮像終了後に回転部２３の回転運動を止める。即ち、一度の撮像動作において回転開始と回転停止を短時間内に行うので、回転部２３の回転運動エネルギーを有効に活用することは二次電池の消耗を軽減し、省エネルギーにも貢献する。図６（ａ）は回転部２３の内部に設けた回生ブレーキ５０を説明するため回路構成図である。二次電池２７には双方向DC-DCコンバータ４２の一端が接続され、さらに、誘導コイル３６に接続している。これは、二次電池２７が放電しダイレクトドライブ（ＤＤ）モータとして動作するモードである。他方、誘導コイル３６からはAC-DCコンバータを介しキャパシタ、好適には電気二重層キャパシタ４４につながり、さらに双方向DC-DCコンバータ４２につながっている。これは、回生ブレーキ回路部分であって、回転部２３の回転運動エネルギーを誘導コイル３６に発生した逆起電力に変換し、電気二重層キャパシタ４４を充電する。また、双方向DC-DCコンバータ４２を介し二次電池２７を充電することもできる。一般に、キャパシタのエネルギー回収効率は９０％以上であり、二次電池充電時の６０％前後に比べると高効率である。特に、本実施例のように回転部２３が減速し（回収し）、すぐにまた回転部２３を回転（放電）させる場合に好適である。以上は、図５（ｂ）の構造を前提とした場合である。これに対し図５（ｃ）の場合は、図１のガントリ５或いはガントリ移動台車１１の内部に二次電池、誘導コイル１６、及び回生ブレーキ回路５０を有する構造であり、基本動作は上述の通りである。なお、双方向DC-DCコンバータ４２には、降圧チョッパ回路と昇圧チョッパ回路を組み合わせた回路方式、或いはDSP（Digital Signal Processor）とADコンバータを用いたPWM（Pulse Width Modulation)方式等を用いることができる。
【００３４】
図６（ｂ）は本実施例における回生ブレーキを用いた場合の駆動方法を説明するためのフローチャートである。図示するように、ガントリの移動及び回転部２３の回転開始後、Ｘ線照射による撮像が開始される。検出器アレーから得られたデジタルデータはリアルタイムで画像メモリに記録される。すでに説明したように、デジタルデータは、パラレルシリアル変換するまでもなく、パラレルデータのまま画像メモリに記録することができる。撮像終了後、回転部２３の回転運動エネルギーが誘導コイルに逆起電力を生じさせ電気エネルギーとして回収し、キャパシタ又は二次電池を充電しつつ回転運動は減速する。最終的にガントリは所定位置に停止し、回転部インターフェースからホストインターフェースを介し画像メモリに記録されたデータが読み出され、図示していない操作・制御部において画像の再構成処理後、モニター上に撮影情報が表示される。また、並行して二次電池を充電する。
【００３５】
回転部23の変形例を図７（ａ）、及び図７（ｂ）、さらにガントリ部分の変形例を図７（ｃ）に示す。図７（ａ）は、回転部２３をX軸方向からみた側面図である。回転部２３の内部に組み込まれる構成要素であるＸ線発生部２５は、ターゲット部材の劣化や電子ビーム発生冷陰極材料、本実施例ではカーボンナノ材料の消耗等により、使用頻度に応じた交換が必要である。同様に、検出器アレー３１も、使用する半導体部品等の放射線損傷、或いは積層するＸ線シンチレータ材料の湿度依存性などの理由から交換が必要になる場合がある。そこで本実施例では、カートリッジ構造のＸ線発生部２５ｍと検出器アレー３１ｍにより、回転部２３から脱着可能とした。図示するように、回転部２３にはカートリッジ構造のＸ線発生部２５ｍと検出器アレー３１ｍが挿入されるスペース２５ｆと３１ｆ（いずれも破線部）が形成されている。カートリッジ構造は、Ｘ線発生部２５と検出器アレーに限定されず、例えば、記録容量増大に対応するため、画像メモリ３５をカートリッジ構造とすることもできる。
【００３６】
図７（ｂ）は、回転部23の他の変形例をZ軸方向から見た平面図である。本実施例では、Ｘ線発生部２５とさらに、Ｘ線発生部２５−２、及びこれらに中心軸１に対し対向する位置に検出器アレー３１、及び検出器アレー３１−２を有する。検出器アレー３１と検出器アレー３１−２は、Ｚ軸方向にずれた位置に、即ちシフトさせて配置してもよい。また、Ｘ線発生部２５とＸ線発生部２５−２は、同時にＸ線を照射しても時間差を置いて照射してもよい。さらに、Ｘ線発生部２５とＸ線発生部２５−２は異なる管電圧（波長）による分光解析を行っても良い。
【００３７】
図７（ｃ）は、第四の実施例に係る撮像装置４００のＸ軸方向から見た側面図である。本実施例では、ガントリ部が２台（ガントリ５とガントリ５−２）架台７上に搭載されている。さらに、クレードル部も２台（９−３と９−４）有しており、特にクレードル９−４は、被験者及び寝台（図示せず）が通り抜けられるようにドーナツ形の中空構造になっている。ガントリを複数台、例えばＸ線ＣＴ検査用ガントリとＰＥＴ（ポジトロンエミッショントモグラフィー）検査用ガントリの組み合わせや、Ｘ線ＣＴ検査用ガントリと近赤外拡散光イメージング用ガントリの組み合わせのように、異なる検査を一台の撮像装置で実現することが容易になる。また、複数のガントリ部は、個々に駆動する場合、或いは互いに連動して稼働させることもできる。なお好適には、ガントリ部が体軸方向に移動中に回転部或いはガントリ部から出力される信号、例えば、被験者の透視画像をモニターできるようにするため、無線通信インターフェースをガントリ部又は回転部と操作・制御部との間に有する構造としても良い。
【産業上の利用可能性】
【００３８】
整形外科、循環器科、消化器科領域等異なる医療分野及び異なる光源エネルギーに対するマルチ画像診断が実現する。
【符号の説明】
【００３９】
１：回転中心軸、２−１：回転部インターフェース、２−２：ホストインターフェース、３：寝台、４：凸型接続端子、５：ガントリ、６：凹型接続端子、７：架台、８：ガントリけん引ベルト、９−１、９−２：架台支持部、９−３：クレードル、１０：非接触ホストインターフェース  １１：ガントリ移動台車、１２：非接触回転部インターフェース、１３：ガントリ移動用レール、１４：ガントリけん引モータ、１５：ガントリ下部の車輪、１６：供給口、１７：ガントリ移動台車駆動モータ、１８：開口部、１９：ガントリ回転モータ、２０：試料保持部、２１：回転部回転用ベルト、２３：回転部、２５、２５−２：X線発生部、２５Ｃ：カーボンナノ材料電子ビーム発生冷陰極、２５Ａ：陽極ターゲット、２６：X線ビーム、２７：二次電池、２９：光源駆動回路、２９−１：電圧昇圧回路、２９−２：高電圧制御回路、３０：検出器ユニット、３１、３１−２：検出器アレー、３３：検出器周辺回路、３５：画像メモリ、３６：誘導コイル、３７：ガントリ収納部、３９：回転部５の外周とガントリ部２３の外周の一部分、４１：検出器駆動制御回路、４２：双方向DC-DCコンバータ、４３：信号増幅・AD変換回路、４４：電気二重層キャパシタ、４５：信号走査・制御回路、４７：デジタル信号処理回路、４９：パラレルシリアル変換回路、50：回生ブレーキ回路、５１：被験者保護部材
【図１】
2020103369.tif 000003
【図２】
2020103369.tif 000004
【図３】
2020103369.tif 000005
【図４】
2020103369.tif 000006
【図５】
2020103369.tif 000007
【図６】
2020103369.tif 000008
【図７】
2020103369.tif 000009
【手続補正書】
【提出日】平成31年4月23日(2019.4.23)
【手続補正１】
【補正対象書類名】特許請求の範囲
【補正対象項目名】全文
【補正方法】変更
【補正の内容】
【特許請求の範囲】
【請求項１】
検出器、該検出器を駆動及び該検出器の出力信号を処理する検出器制御信号処理回路、及び該検出器の出力信号を記録する画像メモリ、及び体軸方向を中心軸として回転する回転部を有するガントリ、該ガントリを載せる架台、及び該ガントリから得られた画像データを処理表示する制御部からなる撮像装置であって、該架台上において該ガントリを該中心軸の方向に移動させる駆動部を有し、該回転部には光源、光源駆動制御回路、これらを駆動するための二次電池、及び回転部インターフェースを内蔵し、かつ該架台はホストインターフェースを有し、該ガントリの該架台上における移動範囲内の所定位置において該回転部インターフェースと該ホストインターフェースが互いに対向する構造からなる撮像装置。
【請求項２】
前記所定位置が前記ガントリの前記移動範囲内の終点にある請求項1に記載の撮像装置。
【請求項３】
前記回転部インターフェースと前記ホストインターフェースが互いに鉛直方向に近接し対向する請求項１に記載の撮像装置。
【請求項４】
前記回転部インターフェースと前記ホストインターフェースが互いに前記中心軸方向に近接し対向する請求項１に記載の撮像装置。
【請求項５】
前記回転部インターフェースと前記ホストインターフェースが前記所定位置において機械的に接触することにより電気的に接続する請求項１に記載の撮像装置。
【請求項６】
前記回転部インターフェースと前記ホストインターフェースが前記所定位置において近接し電磁場の相互作用により電気的に接続する非接触のインターフェースである請求項１に記載の撮像装置。
【請求項７】
前記ガントリを前記中心軸方向に移動させるための前記駆動部を前記ガントリの内部に有する請求項１に記載の撮像装置。
【請求項８】
前記回転部を回転させる駆動モータを前記ガントリの内部に有する請求項１に記載の撮像装置。
【請求項９】
前記架台の上部であって前記所定位置にクレードルを有し、かつ該クレードルに前記ホストインターフェースを有する請求項４に記載の撮像装置。
【請求項１０】
前記クレードルに前記回転部の検査と校正に供する検査プローブ、或いは標準サンプルを保持するための保持手段を前記クレードルに設けた請求項９に記載の撮像装置。
【請求項１１】
前記光源がX線光源であって、該X線光源における電子ビーム発生部がカーボンナノ構造体から構成された請求項１に記載の撮像装置。
【請求項１２】
前記回転部の内部に前記検出器制御信号処理回路、前記画像メモリ、及び前記中心軸を挟んで前記光源に対向する位置に前記検出器を有する請求項１に記載する撮像装置。
【請求項１３】
前記回転部の外周を取り巻く前記ガントリの内周部の全周に亘って前記検出器を配置した請求項１に記載する撮像装置。
【請求項１４】
前記検出器が光電子倍増管型検出器、アバランシェホトダイオード型検出器、又はフォトンカウンティング型検出器のいずれかである請求項１２又は請求項１３に記載の撮像装置。
【請求項１５】
前記回転部の外周部にN極とS極が交互に並ぶように配置した永久磁石を有し、かつ前記回転部の周囲を取り囲む前記ガントリの円周に沿って複数の誘導コイルを配置した請求項１２、又は請求項１３に記載の撮像装置。
【請求項１６】
前記回転部の外周部に沿って複数の誘導コイルを配置し、かつ前記回転部の周囲を取り囲む前記ガントリの円周部に沿ってN極とS極が交互に並ぶように永久磁石を配置した請求項１２、又は請求項１３に記載の撮像装置。
【請求項１７】
前記回転部の運動エネルギーを電気エネルギーに変換する回生ブレーキ回路を前記誘導コイルに接続した請求項１５又は請求項１６に記載の撮像装置。
【請求項１８】
前記回生ブレーキ回路に電気二重層キャパシタを有する請求項１７に記載の撮像装置。
【請求項１９】
前記ガントリの前記体軸方向の移動、或いは前記ガントリの撮像動作を制御する制御信号を無線通信により送受信する無線インターフェースを前記制御部と、少なくとも前記ガントリ、前記架台、或いは前記クレードルのいずれかに有する請求項１又は請求項９に記載の撮像装置。
【請求項２０】
被験者、或いは測定対象物を載せるための保持手段を前記架台と一体的に形成した請求項１に記載の撮像装置。
【請求項２１】
前記ガントリの前記体軸方向における移動を補助するためのガイドレールを前記架台に設けた請求項１に記載の撮像装置。
【請求項２２】
前記ガントリの移動中に、前記ガントリが被験者、或いは被測定物に接触することを防止するための保護カバーを前記ガントリの移動方向に沿って前記架台に有する請求項１に記載の撮像装置。
【請求項２３】
少なくとも前記光源、前記検出器、前記画像メモリ、前記二次電池のいずれかが回転部から着脱可能なモジュール構造からなる請求項１、請求項１２、或いは請求項１３のいずれか一項に記載の撮像装置。
【請求項２４】
前記ガントリに加え、さらに第二のガントリを前記架台の上部に有する請求項１に記載の撮像装置。
【請求項２５】
請求項１に記載の撮像装置の駆動方法であって、前記ガントリの前記中心軸方向の移動を前記所定位置において停止し、前記回転部インターフェースを介し前記ホストインターフェースから前記二次電池に電力を供給し前記二次電池を充電する撮像装置の駆動方法。
【請求項２６】
請求項１に記載の撮像装置の駆動方法であって、前記ガントリの前記中心軸方向に移動開始後、被検体を透過した光信号を前記検出器により電気信号に変換し、該電気信号を前記画像メモリに記録しながら前記回転部を回転させ、前記ガントリの前記中心軸方向の移動を前記所定位置において停止し、前記画像メモリに記録された電気信号を、前記ホストインターフェースを介し読み出す撮像装置の駆動方法。
【請求項２７】
請求項１７又は請求項１８に記載の撮像装置の駆動方法であって、前記ガントリの前記中心軸方向に移動開始後、前記回転部を回転させながら前記光源から出射した光を前記検出器により電気信号に変換し、該電気信号の前記画像メモリへの記録終了後、前記回転部の回転を減速させる工程において、前記誘導コイルに生ずる逆起電力を、前記回生ブレーキ回路を介し前記二次電池又は前記電気二重層キャパシタに充電する撮像装置の駆動方法。